(57)【特許請求の範囲】
【請求項１】
接離自在な雌雄一対の型からなる成形型内へ発泡樹脂原料を射出後、いずれか一方の型をわずかに寸開し発泡樹脂原料を型内面に添い発泡させて製造したスキン層に覆われた射出発泡成形品であって、前記スキン層を、射出発泡成形品の雌型で形成される雌型側スキン層と、射出発泡成形品の雄型で形成される雄型側スキン層と、前記雌型側スキン層と前記雄型側スキン層の端末結合部であって射出発泡成形品の厚み方向に所定幅で寸開長さ分膨出状に延設された樹脂未発泡部とからなるものとして、前記雄型側スキン層と樹脂未発泡部の接続部を起点として前記雄型側スキン層側の樹脂発泡部が前記樹脂未発泡部の寸開長さ分屈曲・膨出して水平な端末部に形成されていることを特徴とする射出発泡成形品。
【請求項２】
接離自在な雌雄一対の型からなる成形型内へ発泡樹脂原料を射出後、いずれか一方の型をわずかに寸開して発泡樹脂原料を型内面に添い発泡させる射出発泡成形品の製造方法において、前記雄型上端部に設けた樹脂未発泡部形成用の凹部により端縁部に寸開長さ分だけ突出した樹脂未発泡部を有する射出品を成形し、次いで寸開時に該樹脂未発泡部の境界部を起点に樹脂発泡部が樹脂未発泡部側へ屈曲・膨出されて端末部が水平面を形成することを特徴とする射出発泡成形品の製造方法。
【発明の詳細な説明】
【０００１】
【発明の属する技術分野】
本発明は、端末部における寸法精度が良好で、かつ低コストで製造することができる射出発泡成形品及びその製造方法に関するものである。
【０００２】
【従来の技術】
【特許文献１】
特開平８−２９４９２５号公報
【０００３】
従来から、射出発泡成形品は軽量性およびコストパフォ−マンス性に優れており、例えば特許文献１に示されるように、ドアトリム等の自動車用内装部品として広く利用されている。このような射出発泡成形品の製造方法として、接離自在な一対のキャビティ型とコア型からなる成形型を閉じた状態で型内へ発泡樹脂原料を射出し、次いでいずれか一方の型をわずかに寸開して発泡樹脂原料を型内面に添って発泡させるようにする方法が一般的である。
【０００４】
しかしながら、図４に示されるように、発泡樹脂原料を射出後、型をわずかに寸開すると雌型（キャビティ型）２１の端部ａと雄型（コア型）２２の端部ｂとが行き別れて型寸開分（α）だけ隙が生じる現象があった。この結果、内装材として組み付けた場合、他の部品との間に隙を生じたり、干渉したりして見栄えが著しく低下するという問題点があった。
また、これを解消するのに、図５に示されるように、雄型２２内に昇降動自在なコア型２３を設けておき、該コア型２３を型の寸開に同調して上昇させて端部ａ、ｂの行き別れを防止することが検討された。しかしながら、この場合は、型の製作費が非常に高くなるとともに、型の製作日数も長くなるため実用には供さないという問題点があった。
【０００５】
【発明が解決しようとする課題】
本発明は上記のような従来の問題点を解決して、端末部における寸法精度が良好で優れた外観品質を有するとともに、型製作費も安くかつ短期間で製作でき生産コストを大幅に低減することができる射出発泡成形品及びその製造方法を提供することを目的して完成されたものである。
【０００６】
【課題を解決するための手段】
上記の課題を解決するためになされた本発明の射出発泡成形品は、接離自在な雌雄一対の型からなる成形型内へ発泡樹脂原料を射出後、いずれか一方の型をわずかに寸開し発泡樹脂原料を型内面に添い発泡させて製造したスキン層に覆われた射出発泡成形品であって、前記スキン層を、射出発泡成形品の雌型で形成される雌型側スキン層と、射出発泡成形品の雄型で形成される雄型側スキン層と、前記雌型側スキン層と前記雄型側スキン層の端末結合部であって射出発泡成形品の厚み方向に所定幅で寸開長さ分膨出状に延設された樹脂未発泡部とからなるものとして、前記雄型側スキン層と樹脂未発泡部の接続部を起点として前記雄型側スキン層側の樹脂発泡部が前記樹脂未発泡部の寸開長さ分屈曲・膨出して水平な端末部に形成されていることを特徴とするものである。
また本発明の射出発泡成形品の製造方法は、接離自在な雌雄一対の型からなる成形型内へ発泡樹脂原料を射出後、いずれか一方の型をわずかに寸開して発泡樹脂原料を型内面に添い発泡させる射出発泡成形品の製造方法において、前記雄型上端部に設けた樹脂未発泡部形成用の凹部により端末部に寸開長さ分だけ突出した樹脂未発泡部を有する射出品を成形し、次いで寸開時に該樹脂未発泡部の境界部を起点に樹脂発泡部が樹脂未発泡部側へ屈曲・膨出されて端末部が水平面を形成することを特徴とするものである。
【０００７】
【発明の実施の形態】
以下に、図面を参照しつつ本発明の好ましい形態を示す。
図面は、本発明を自動車用ドアトリムの成形に適用した場合を示すもので、図１は本発明で得られる射出発泡成形品の要部を示す断面図、図２は成形型の要部を示す断面図、図３は成形工程を示す説明図である。
図において、１は雌型（キャビティ型）、２は雄型（コア型）であり、これらの雌雄一対の型からなる成形型内へ発泡樹脂原料を射出後、いずれか一方の型（図示のものでは雌型１）をわずかに寸開して発泡樹脂原料を型内面に添い発泡させ射出発泡成形品を製造する点は従来のものと同じである。
【０００８】
そして本発明では、雌型側スキン層１１ａと雄型側スキン層１１ｂからなるスキン層１１で覆われた射出発泡成形品１０を成形する成形型の一方型である雄型２の上端部に樹脂未発泡部形成用の凹部３が設けられており、該凹部３により端縁部に寸開長さ分だけ突出した樹脂未発泡部１２を有する射出品１０ａを成形し、次いで寸開時に樹脂未発泡部１２と雄型側スキン層１１ｂとの境界部となる接続部Ｐを起点に雄型側スキン層１１ｂ側の樹脂発泡部が樹脂未発泡部１２の寸開長さ分屈曲・膨出して水平な端末部を形成するようにした点に特徴を有する。
なお、ここでいう接続部Ｐとは、射出発泡成形品１０の雌型１で形成される雌型側スキン層１１ａと雄型２で形成される雄型側スキン層１１ｂと、雄型側スキン層１１ｂと雌型側スキン層１１ａの端末結合部であって、射出発泡成形品１０の厚み方向に所定幅で寸開長さ分膨出状に延設された樹脂未発泡部１２と、雄型側スキン層１１ｂとの接続部分であり、境界部でもある。
即ち、本発明者は射出品１０ａの端縁部に樹脂未発泡部１２を突出成形しておくと、型を寸開した場合に該樹脂未発泡部１２の接続部Ｐを起点に樹脂発泡部が樹脂未発泡部１２の突出方向に寸開長さ分屈曲・膨出されつつ発泡することを見出し、本発明をするに至った。
つまり、図３に示されるように、凹部３により端縁部に型の寸開分の高さ（α）と所定幅（ｓ）の樹脂未発泡部１２を形成しておくと、この樹脂未発泡部１２は型寸開時において開いた型に追従してそのままの形状を維持するとともに、樹脂発泡部は境界部（接続部Ｐ）を起点に樹脂未発泡部側へ屈曲しつつ発泡し、この結果、射出品１０ａの端縁部が従来のようにα分だけ寸開方向へ膨らむことなく接続部Ｐを起点に引き込まれ、水平状態の端末部を形成することとなるのである。
【０００９】
本発明者の知見によれば、樹脂は型との接触距離が１．５ｍｍ以下であると型によって冷却・固化されて樹脂未発泡部を形成する。本発明において、型の寸開寸法（α）は約１ｍｍ程度とわずかであり、従って前記凹部３の形状は高さを寸開寸法（α）と同一とし、幅（ｓ）を１．５ｍｍ以下となるように設計すればよい。
【００１０】
次に、本発明の製造工程につき説明すると、接離自在な雌雄一対の型１，２からなる成形型内へ発泡樹脂原料を射出後、いずれか一方の型をわずかに寸開して発泡樹脂原料を型内面に添い発泡させる射出発泡成形品の製造方法である点は従来と同様である。
そして本発明では、図３の左図に示されるように、前記雄型２の上端部に設けた樹脂未発泡部形成用の凹部３により端縁部に寸開長さ分だけ突出した樹脂未発泡部１２を有する射出品１０ａを成形する。次いで、雌型１をわずかに上昇して樹脂を発泡させるが、この寸開時に該樹脂未発泡部１２の接続部Ｐを起点に樹脂発泡部が樹脂未発泡部の寸開長さ分屈曲・膨出されて端末部が水平面を形成するようにする（図３の右図参照）。
【００１１】
このようにして製造した射出発泡成形品は、図１に示されるように、表面全体がスキン層１１で覆われており、しかも端末部に寸開長さ分の樹脂未発泡部１２が形成されているとともに、該樹脂未発泡部１２の接続部Ｐを起点として樹脂発泡部が樹脂未発泡部側へ屈曲・膨出して水平な端末部が形成されたものとなっており、従来のように端末部に型寸開分（α）だけ隙が生じることがない。
即ち本発明の射出発泡成形品１０は、接離自在な雌雄一対の型からなる成形型内へ発泡樹脂原料を射出後、いずれか一方の型をわずかに寸開し発泡樹脂原料を型内面に添い発泡させて製造したスキン層１１に覆われた射出発泡成形品であって、前記スキン層１１を、射出発泡成形品の雌型１で形成される雌型側スキン層１１ａと、射出発泡成形品の雄型２で形成される雄型側スキン層１１ｂと、前記雌型側スキン層１１ａと雌型側スキン層１１ｂの端末結合部であって射出発泡成形品の厚み方向に所定幅で寸開長さ分膨出状に延設された樹脂未発泡部１２とからなるものとして、雄型側スキン層１１ｂ側の樹脂発泡部が樹脂未発泡部１２の寸開長さ分屈曲・膨出して水平な端末部に形成されたものとなっている。
従って、内装材として組み付けた場合、他の部品との間に隙を生じたり、干渉したりして見栄えが著しく低下するという問題点をすべて解消することができるとともに、型内に昇降動自在なコア型を別に設ける必要もなく型製作コストを安価に、かつ短期間で製作することができることとなる。
【００１２】
【発明の効果】
以上の説明からも明らかなように、本発明は端末部における寸法精度が良好で優れた外観品質を有するとともに、型製作費も安くかつ短期間で製作でき生産コストを大幅に低減することができるものである。
よって、本発明は従来の問題点を一掃した射出発泡成形品及びその製造方法として、産業の発展に寄与するところは極めて大である。
【図面の簡単な説明】
【図１】本発明の実施の形態を示す要部の断面図である。
【図２】成形型の要部の断面図である。
【図３】本発明の成形工程を示す説明図である。
【図４】従来例を示す断面図である。
【図５】その他の従来例を示す断面図である。
【符号の説明】
１  雌型
２  雄型
３  凹部
１０射出発泡成形品
１１  スキン層
11ａ  雌型側スキン層
11ｂ  雄型側スキン層
１２  樹脂未発泡部
Ｐ  接続部
【図１】
0003778167.tif 000002
【図２】
0003778167.tif 000003
【図３】
0003778167.tif 000004
【図４】
0003778167.tif 000005
【図５】
0003778167.tif 000006